(57)【要約】【課題】キュービクルの点検の際に、扉を開錠する前に、確実に検電動作が行われる検電器を提供することを目的とする。【解決手段】  本発明の検電器１０は、検電対象物１を開錠する鍵３０が装着される鍵装着部１３と、前記鍵装着部１３に装着された鍵３０を介して前記検電対象物の充電状態を検出可能な検出部１６と、前記検出部１６により、前記検電対象物１の充電状態が検出された場合、報知する報知部１４，１７と、を備え、検電対象物１を開錠する前に、確実に検電動作を行うことを可能とする。【選択図】図３
2017146128.tif 000002
【特許請求の範囲】
【請求項１】
検電対象物を開錠する鍵が装着される鍵装着部と、
前記鍵装着部に装着された鍵を介して前記検電対象物の充電状態を検出可能な検出部と、
前記検出部により、前記検電対象物の充電状態が検出された場合、報知する報知部と、
を備える検電器。
【請求項２】
前記鍵装着部には前記鍵が着脱可能である、
請求項１に記載の検電器。
【請求項３】
前記鍵装着部は、異なる形状の鍵が装着可能である、
請求項１又は２に記載の検電器。
【発明の詳細な説明】
【技術分野】
【０００１】
本発明は、検電器に関する。
【背景技術】
【０００２】
発電所から変電所を通して送られてくる高圧の電気を家庭用の電圧に変圧する受電設備を収納するために、キュービクル式高圧受電設備(以下、キュービクルという)が用いられている（例えば、特許文献１参照）。
キュービクルは、適切な設置処理がされていることから、通常、漏電する可能性は極めて低い。また、仮に高圧で漏電した際は漏電遮断器が動作するためキュービクルが充電した状態を持続することはない。したがって、キュービクルの扉の開閉については検電器による検電の必要性は少ない。
しかし、漏電遮断器が不良となっている状況も考えられる。また、低圧側における漏電の可能性もないとはいえない。
したがって、キュービクル内に設置してある計量器の検針や検針データ取得作業等の作業を行う場合は、電気安全上、ハンドル（扉の取っ手）を検電し、充電していないことを確認した後、鍵によりロックを解除して、扉を開けることが求められている。
【先行技術文献】
【特許文献】
【０００３】
【特許文献１】特開２０１３−２４７５０４号公報
【発明の概要】
【発明が解決しようとする課題】
【０００４】
しかし、キュービクルの点検の際に、扉の鍵だけでなく、検電器を準備する必要があるため、煩雑と感じる場合がある。また、単に検電器の所持を忘れてしまうことがある。このような場合、検電作業を行わずに、扉の開錠がなされることがある。検電作業を行わずにキュービクルの扉を開けることは、安全上好ましくない。
本発明は、確実に検電動作が行われる検電器を提供することを目的とする。
【課題を解決するための手段】
【０００５】
本発明の検電器は、検電対象物を開錠する鍵が装着される鍵装着部と、前記鍵装着部に装着された鍵を介して前記検電対象物の充電状態を検出可能な検出部と、前記検出部により、前記検電対象物の充電状態が検出された場合、報知する報知部と、を備える。
【０００６】
前記鍵装着部には前記鍵が着脱可能であってもよい。
【０００７】
前記鍵装着部は、異なる形状の鍵が装着可能であってもよい。
【発明の効果】
【０００８】
本発明によれば、確実に検電動作が行われる検電器を提供することができる。
【図面の簡単な説明】
【０００９】
【図１】キュービクルを示す図である。
【図２】開閉ハンドルの拡大図である。
【図３】第１実施形態の検電器を示す図であり、（ａ）は検電器の蓋部を開いた状態、（ｂ）は蓋部を閉じた状態である。
【図４】検電器のブロック図である。
【図５】第２実施形態の検電器を示す図であり、（ａ）は検電器の蓋部を開いた状態、（ｂ）は蓋部を閉じた状態である。
【発明を実施するための形態】
【００１０】
以下、本発明の実施形態について説明する。
図１はキュービクル式高圧受電設備（以下、キュービクル１という）を示す図である。キュービクル１は、発電所から変電所を通して送られてくる高圧の電気を家庭用の電圧に変圧する受電設備や計器類を収納する筐体である。
キュービクル１は、前面に開閉式の扉２を備え、内部に受電設備や計器類が収納されている。キュービクル１の扉２は、通常、施錠されており、設備の点検や検針の際、開錠される。
【００１１】
扉２には、開閉ハンドル３が取り付けられている。扉２が施錠されている場合は、図１に示すように、開閉ハンドル３は鉛直方向を向いている。この状態で、扉２を開錠して開閉ハンドル３を水平に回転すると、扉２を開くことができる。
図２は開閉ハンドル３の拡大図である。図示するように、開閉ハンドル３は、揺動中心部に鍵穴４を有している。鍵穴４に鍵を差し込んで回転することで、扉２の施錠及び開錠が可能となる。
鍵穴４には、鍵穴カバー５が取り付けられている。鍵穴カバー５は、開閉ハンドル３に対して揺動可能である。鍵穴カバー５を搖動させて鍵穴４を露出させることで、鍵穴４への鍵の挿入が可能となる。
【００１２】
（第１実施形態）
図３は、本発明の第１実施形態の検電器１０を示す図であり、（ａ）は後述の蓋部１１を開いた状態、（ｂ）は蓋部１１を閉じた状態である。
検電器１０は、本体部１２と、本体部１２に対して開閉可能な蓋部１１と、本体部１２に設けられた鍵装着部１３とを有する。
【００１３】
本体部１２は細長い形状で、長さ方向の一端側に徐々に細くなった先細部１２ａが設けられている。本体部１２における、蓋部１１を閉じたときに覆われる側の表面１２Ａには、発光部１４と、テスト用ボタン１５とが設けられている。また、表面１２Ａの先細部１２ａには、鍵装着部１３が設けられている。
【００１４】
蓋部１１は、本体部１２の長手方向に沿った軸Ａを中心として回転することで、図３（ｂ）に示す本体部１２の表面１２Ａを覆う状態（閉じた状態）と、図３（ａ）に示す、表面１２Ａを露出する状態（開いた状態）とをとることができる。
蓋部１１は、例えば透明部材で製造されており、発光部１４の点灯は蓋部１１を閉じた状態でも確認可能である。なお、蓋部１１が透明材料で製造されていない場合は、発光部１４の部分に開口部を設けることで、発光部１４の点灯を蓋部１１を閉じた状態でも確認可能となる。
蓋部１１における、蓋部１１を閉じた状態でテスト用ボタン１５と重なる部分には、開口部１１Ａが設けられている。蓋部１１が閉じた状態で開口部１１Ａよりテスト用ボタン１５を押圧することができる。
【００１５】
鍵装着部１３は、鍵装着用の突起１３ａを有する。突起１３ａは、金属等の導電性部材で製造されている。突起１３ａは、実施形態では２つ設けられているが、これに限定されず、１つでも３以上であっても良い。
鍵装着部１３に装着される鍵３０は、鍵穴４の形状が異なるキュービクル１のそれぞれに対応して、複数（図中、例として３０Ａ，３０Ｂ，３０Ｃ）用意されている。
鍵３０のそれぞれには、突起１３ａに対応する２つの孔１３ｂが設けられている。
【００１６】
図４は、検電器１０のブロック図である。検電器１０は、さらに、検出部１６と、音発生部１７と、電池収納部１８と、を備える。
【００１７】
検出部１６は、鍵装着部１３に電気的に接続されている。鍵装着部１３に鍵３０が取り付けられた状態で、鍵３０を被測定物に近づけると、検出部１６は、被測定物の充電状態を検出する。
【００１８】
発光部１４は、検出部１６により、被測定物が充電していることが検出された場合、発光する。検電器１０は、上述のように、蓋部１１が閉じた状態でも発光部１４の発光を観察することができる。
音発生部１７は、検出部１６により被測定物が充電していることが検出された場合、ブザー音等を発生する。
本実施形態では発光部１４と音発生部１７という２つの報知部により検電確認を行うことができるため、安全度が高い。
【００１９】
図３に示すように、先細部１２ａと長手方向の反対側の端部には、電池収納部１８を開閉するための、開閉部１９が設けられている。開閉部１９を開けると、内部に電池収納部１８が設けられている。
電池収納部１８には、電池を収納可能となっている。電池の電力によって、実施形態の検電器１０は動作可能となる。
【００２０】
検電器１０によって検電を行うにあたっては、事前に検電器１０の健全性を確認する必要がある。テスト用ボタン１５が押圧されたときに、収納された電池の残量が十分で、検電器１０が正常に動作する場合、発光部１４が発光し、音発生部１７よりブザー音が発せられる。これにより検電器１０が正常に動作しているかどうかを確認可能である。
【００２１】
なお、実施形態の検電器１０は、電子回路式検電器であるが、これに限定されず、はく検電器、ネオン式検電器等であってもよい。
【００２２】
実施形態の検電器１０により、キュービクル１の充電状態を検出する場合、例えば、図３の鍵３０Ａ，３０Ｂ，３０Ｃのうちから測定対象となるキュービクル１の鍵（例えば鍵３０Ａ）を選択する。
そして、検電器１０の蓋部１１が開いた図３（ａ）の状態で、鍵部３０Ａの穴１３Ｂを鍵装着部１３の突起１３ａに嵌め込む。
蓋部１１を閉じることで、図３（ｂ）に示すように、鍵３０Ａが検電器１０に装着された状態となる。
【００２３】
検電対象物であるキュービクル１が設置してある現場に出向き、検電器１０のテスト用ボタン１５を押圧する。発光部１４が発光し、また音発生部１７が動作してブザー音等が発生したら、検電器１０は正常であるので、次に検電動作を行う。
発光部１４及び音発生部１７が動作しない場合、電池の交換等を行い、検電器１０を正常に動作させる。
【００２４】
検電器１０が正常に作動していることを確認したら、キュービクル１の扉２に検電器１０の鍵３０部分を近づける。
キュービクル１内で漏電等生じている場合、検出部１６により被測定部の充電が検出され、発光部１４が発光し、また音発生部１７が動作してブザー音等が発生する。この場合、鍵３０の鍵穴４への挿入は行わない。
【００２５】
被測定部の充電が検出されない場合、キュービクル１における漏電等は生じていないので、鍵３０を鍵穴４に差し込んで、キュービクル１の扉２を開ける。そして、キュービクル１内の計器の計測等の作業を行う。
【００２６】
以上、本実施形態の検電器１０は、キュービクル１を開錠する鍵３０と一体となっているので、検電器１０による検電が必然的に行われる。したがって、検電をし忘れたりすることがなく、安全性が高い。
また、実施形態の検電器１０の鍵装着部１３に対して、鍵３０は着脱式であるので、鍵穴４の形状が異なるキュービクル１のそれぞれに対応した鍵３０Ａ，３０Ｂ，３０Ｃを交換して装着することができる。
ゆえに、鍵穴４の形状が異なるキュービクル１のそれぞれに対して別の検電器１０を用意する必要がなく、１つの検電器１０で検電することができるため、経済的である。
【００２７】
（第２実施形態）
図５は本発明の第２実施形態の検電器１０’を示す図である。第２実施形態の検電器１０’が、第１実施形態の検電器１０’と異なる点は、鍵装着部１３’が例えば凹部であって、市販の鍵を装着可能となっている点である。
凹部である鍵装着部１３’には、導電部１３Ａ’が設けられている。鍵装着部１３’に、測定対象となるキュービクル１に対応した市販の鍵３０’を配置すると、鍵３０’と導電部１３Ａとが導通する。
蓋部１１’を閉じると、蓋部１１’と本体部１２’との間に鍵３０’が挟持されて固定される。
第２実施形態によると、市販の鍵を用いることができるので、より経済的である。
【符号の説明】
【００２８】
１：キュービクル、２：扉、３：開閉ハンドル、４：鍵穴、５：鍵穴カバー、１０：検電器、１１：蓋部、１１Ａ：開口部、１２：本体部、１３：鍵装着部、１３Ａ：導電部、１４：発光部、１５：テスト用ボタン、１６：検出部、１７：音発生部、１８：電池収納部
【図１】
2017146128.tif 000003
【図２】
2017146128.tif 000004
【図３】
2017146128.tif 000005
【図４】
2017146128.tif 000006
【図５】
2017146128.tif 000007